(57)【要約】【課題】良好に便鉢を洗浄することができる水洗式便器を提供する。【解決手段】水洗式便器１は便鉢５Ａ、及び便座４を備えている。便鉢５Ａは洗浄水が流れる便鉢面５Ｂを有する。便座４は便鉢５Ａの上部に配置され、中央部に開口７が形成されている。また、便座４は便鉢５Ａの周方向で斜め下方外側に向けて洗浄水を流すように吐水する第１吐水口６を有する。【選択図】図１
2018135712.tif 000002
【特許請求の範囲】
【請求項１】
洗浄水が流れる便鉢面を有する便鉢と、
前記便鉢の上部に配置され、中央部に開口が形成されて、前記便鉢の周方向で斜め下方外側に向けて前記洗浄水を流すように吐水する第１吐水口を有する洗浄装置と、
を備えていることを特徴とする水洗式便器。
【請求項２】
前記洗浄装置は、複数の前記第１吐水口を有し、任意の前記第１吐水口から吐水された前記洗浄水が下流側に隣り合う前記第１吐水口が配置された位置の下方の前記便鉢面を流れることを特徴とする請求項１に記載の水洗式便器。
【請求項３】
複数の前記第１吐水口は、少なくとも一つの前記第１吐水口が吐水する前記洗浄水の流量が他の前記第１吐水口が吐水する前記洗浄水の流量と異なることを特徴とする請求項２に記載の水洗式便器。
【請求項４】
複数の前記第１吐水口は、少なくとも一つの前記第１吐水口が吐水する前記洗浄水の水平方向に対する下向きの角度が他の前記第１吐水口が吐水する前記洗浄水の水平方向に対する下向きの角度と異なることを特徴とする請求項２に記載の水洗式便器。
【請求項５】
前記第１吐水口から吐水された前記洗浄水は、前記洗浄装置の裏面に当たり前記便鉢に近づくにつれて拡がって流れることを特徴とする請求項１乃至４のいずれか１項に記載の水洗式便器。
【請求項６】
前記洗浄装置は、前記第１吐水口から吐水された前記洗浄水が流れない非洗浄領域に前記洗浄水を吐水して前記非洗浄領域を洗浄する第２吐水口を有していることを特徴とする請求項１乃至３のいずれか１項に記載の水洗式便器。
【発明の詳細な説明】
【技術分野】
【０００１】
本発明は水洗式便器に関する。
【背景技術】
【０００２】
特許文献１の水洗式便器は、便器本体と、便器本体への洗浄水の供給源と、便器本体のボウル部の上端部に載置される便座とを備えている。さらに、この水洗式便器は上端部よりも上方からボウル部のボウル内面に対して略水平方向に洗浄水を吐水する第１吐水手段を備えている。
【先行技術文献】
【特許文献】
【０００３】
【特許文献１】特開２００２−５４２１６号公報
【発明の概要】
【発明が解決しようとする課題】
【０００４】
この水洗式便器は、便座の裏面を洗浄水が流れた洗浄水が重力によって便鉢に向けて流下する。つまり、この水洗式便器は便座の裏面を流れた洗浄水が便鉢に到達して便鉢を流下する際、洗浄水の便鉢を流下する勢いが重力によるものであるため、洗浄水が流れる勢いが弱く、便鉢の表面を良好に洗浄することができないおそれがある。
【０００５】
本発明は、上記従来の実情に鑑みてなされたものであって、良好に便鉢を洗浄することができる水洗式便器を提供することを目的とする。
【課題を解決するための手段】
【０００６】
本発明の水洗式便器は、
洗浄水が流れる便鉢面を有する便鉢と、
前記便鉢の上部に配置され、中央部に開口が形成されて、前記便鉢の周方向で斜め下方外側に向けて前記洗浄水を流すように吐水する第１吐水口を有する洗浄装置とを備えている。
【０００７】
この水洗式便器は、洗浄装置の第１吐水口から吐水される洗浄水の向きが、便鉢の周方向で斜め下方外側に向いている。このため、この水洗式便器は、便鉢面を流れる洗浄水が下方向への勢いを有している。つまり、この水洗式便器は下方向への勢いを有した洗浄水によって便鉢面をより良好に洗浄することができる。
また、この水洗式便器は、第１吐水口から吐水される洗浄水の向きが、便鉢の周方向であるため、洗浄水が便鉢面を旋回しながら流れる。これにより、この水洗式便器は洗浄水が便鉢面を満遍なく流れることができる。
【０００８】
したがって、本発明の水洗式便器は良好に便鉢を洗浄することができる。
【図面の簡単な説明】
【０００９】
【図１】実施例１の水洗式便器の平面図である。
【図２】実施例１の水洗式便器であって、（Ａ）は図１における矢視Ａ−Ａ断面図であり、（Ｂ）は図１における矢視Ｂ−Ｂ断面図であり、（Ｃ）は図２（Ａ）における矢視Ｃである。
【図３】実施例１の水洗式便器の平面図であって、第１吐水口から吐水された洗浄水が便座、及び便鉢面を流れる状態を示す。
【図４】実施例２の水洗式便器の平面図である。
【図５】実施例２の水洗式便器であって、（Ａ）は図４における矢視Ｄ−Ｄ断面図であり、（Ｂ）は図４における矢視Ｅ−Ｅ断面図であり、（Ｃ）は図５（Ａ）における矢視Ｆである。
【図６】実施例２の水洗式便器の平面図であって、複数の第１吐水口のそれぞれから吐水された洗浄水が便座、及び便鉢面を流れる状態を示す。
【図７】実施例２の水洗式便器の平面図であって、一方の第１吐水口から吐水された洗浄水の流量が他方の第１吐水口から吐水された洗浄水の流量より大きい状態を示す。
【図８】実施例２の水洗式便器の平面図であって、他方の第１吐水口から吐水された洗浄水の流量が一方の第１吐水口から吐水された洗浄水の流量より大きい状態を示す。
【図９】実施例３の水洗式便器の平面図である。
【図１０】実施例３の水洗式便器であって、（Ａ）は図９における矢視Ｇ−Ｇ断面図であり、（Ｂ）は図９における矢視Ｈ−Ｈ断面図であり、（Ｃ）は図１０（Ａ）における矢視Ｊである。
【図１１】実施例３の水洗式便器の平面図であって、複数の第１吐水口、及び複数の第２吐水口のそれぞれから吐水された洗浄水が便座、及び便鉢面を流れる状態を示す。
【図１２】他の実施例（１）の水洗式便器の便座３４及び便器本体５の要部を拡大した部分断面図である。
【図１３】他の実施例（１）の水洗式便器の便座４４及び便器本体５の要部を拡大した部分断面図である。
【図１４】他の実施例（１）の水洗式便器の便座５４及び便器本体５の要部を拡大した部分断面図である。
【図１５】他の実施例（１）の水洗式便器の便座６４及び便器本体５の要部を拡大した部分断面図である。
【図１６】他の実施例（２）の水洗式便器の第２吐水口を示す要部を拡大した部分平面図である。
【発明を実施するための形態】
【００１０】
本発明における好ましい実施の形態を説明する。
【００１１】
本発明の水洗式便器の洗浄装置は、複数の第１吐水口を有し、任意の第１吐水口から吐水された洗浄水が下流側に隣り合う第１吐水口が配置された位置の下方の便鉢面を流れ得る。この場合、この水洗式便器は、第１吐水口が１つの場合に比べて、第１吐水口から吐水された洗浄水が便鉢を旋回して流れる距離を短くすることができる。これにより、この水洗式便器はそれぞれの第１吐水口から洗浄水を吐水する方向を便鉢の周方向でより斜め下方外側に向けることができるため、便鉢面を流れる洗浄水の下方向への勢いをより大きくすることができるため、便鉢をより良好に洗浄することができる。
【００１２】
本発明の水洗式便器の複数の第１吐水口は、少なくとも一つの第１吐水口が吐水する洗浄水の流量が他の第１吐水口が吐水する洗浄水の流量と異なり得る。この場合、便鉢面の場所に応じて最適な流量の洗浄水を流すことができる。
【００１３】
本発明の水洗式便器の複数の第１吐水口は、少なくとも一つの第１吐水口が吐水する洗浄水の水平方向に対する下向きの角度が他の第１吐水口が吐水する洗浄水の水平方向に対する下向きの角度と異なり得る。この場合、便鉢面の洗浄場所の調整や、便鉢面の場所に応じた最適な流量の洗浄水を流すことができる。
【００１４】
本発明の水洗式便器の第１吐水口から吐水された洗浄水は、洗浄装置の裏面に当たり前記便鉢に近づくにつれて拡がって便鉢面に向けて流れ得る。この場合、この水洗式便器は、予め洗浄水の流れる幅を便座の裏面に当てて拡げることによって、洗浄水を便鉢の露出した部分に満遍なく流すことができる。
【００１５】
本発明の水洗式便器の洗浄装置は、第１吐水口から吐水された洗浄水が流れない非洗浄領域に洗浄水を吐水して非洗浄領域を洗浄する第２吐水口を有し得る。この場合、この水洗式便器は第２吐水口から吐水される洗浄水によって便座を満遍なく洗浄することができる。
【００１６】
次に、本発明の水洗式便器を具体化した実施例１〜３について、図面を参照しつつ説明する。
【００１７】
＜実施例１＞
実施例１の水洗式便器１は、図１、図２（Ａ）〜（Ｃ）に示すように、便器本体５、及び洗浄装置である便座４を備えている。便器本体５は、洗浄水が流れる便鉢面５Ｂを有する便鉢５Ａ、便鉢５Ａの下流側に形成された排出孔５Ｆに連通する便器排水路（図示せず）、及び便鉢５Ａと便器排水路との前後左右（前後は、図１における下側上側であり、左右は図１のおける左側右側である。）を覆う側面５Ｃを有している。便器排水路の下流側は便器排水路の上流側より後側に位置している（図示せず。）。便座４は、便器本体５の上部（上下は、図１における、手前側奥側である。）に配置されている。便座４の中央部には、前後方向に長いほぼ楕円形状の開口７が形成されている。また、便座４は開口７の周縁から外方向に向けて伸びる座部４Ｆを有している。座部４Ｆはこの水洗式便器１を使用する使用者が着座する。また、便座４の後方にはケーシング１２が備えられている。ケーシング１２には給水バルブ装置１３等が収納されている。ケーシング１２はメンテナンスを行うために開閉自在な構成とされている。
【００１８】
また、図２（Ｂ）に示すように、便座４の裏面には傾斜面４Ｄが形成されている。具体的には、傾斜面４Ｄは開口７の周縁から便座４の外周に向けて拡がりつつ下り傾斜している。また、傾斜面４Ｄは上方に窪んで形成されている。また、傾斜面４Ｄの下端から便座４の外周に水平方向に拡がるように下端部４Ｅが形成されている。下端部４Ｅは便器本体５の上面５Ｄに当接している。
【００１９】
また、傾斜面４Ｄは便鉢面５Ｂに段差無く連続している。これにより、傾斜面４Ｄから便鉢５Ａに洗浄水をスムーズに流すことができ、さらに、傾斜面４Ｄと便鉢面５Ｂとが連続する部分には汚れが付着し難い。
【００２０】
また、便座４の開口７の近傍の傾斜面４Ｄには、第１吐水口６が設けられている。具体的には、第１吐水口６は便座４の開口７の左側に位置する傾斜面４Ｄの前後中央より後側に設けられている。第１吐水口６は給水バルブ装置１３から供給された洗浄水を吐水する。第１吐水口６は、図２（Ａ）〜（Ｃ）に示すように、便鉢５Ａの周方向で斜め下方外側に向けて洗浄水を流すように吐水する。ここで、外側とは、上方からの平面視において、便鉢５Ａの中央から遠い側である。第１吐水口６から洗浄水が吐水される方向が水平方向に対してなす角度はθ１（以降、吐水角度θ１という）である（図２（Ａ）参照。）。第１吐水口６から吐水された洗浄水は、傾斜面４Ｄに当たると便鉢５Ａに近づくにつれて傾斜面４Ｄを覆うように拡がり、第１吐水口６から下方に遠ざかるに従いさらに傾斜面４Ｄを覆うように拡がる。また、傾斜面４Ｄは当たった洗浄水を下方に誘導する誘導部としても機能する。そして、こうして拡がった洗浄水が傾斜面４Ｄから傾斜面４Ｄに連続した便鉢面５Ｂ（すなわち、便鉢５Ａの露出した部分）に到達する。そして、洗浄水は便鉢面５Ｂを便鉢５Ａの周方向に旋回して流れる（図３参照。）。
【００２１】
このように、この水洗式便器１は、便座４の第１吐水口６から吐水される洗浄水の向きが、便鉢５Ａの周方向で斜め下方外側に向いている。このため、この水洗式便器１は、便鉢面５Ｂを流れる洗浄水が下方向への勢いを有している。つまり、この水洗式便器１は下方向への勢いを有した洗浄水によって便鉢面５Ｂをより良好に洗浄することができる。
また、この水洗式便器１は、第１吐水口６から吐水される洗浄水の向きが、便鉢５Ａの周方向であるため、洗浄水が便鉢面５Ｂを旋回しながら流れる。これにより、この水洗式便器１は洗浄水が便鉢面５Ｂを満遍なく流れることができる。
【００２２】
したがって、本発明の水洗式便器１は良好に便鉢５Ａを洗浄することができる。
【００２３】
また、この水洗式便器１の第１吐水口６から吐水された洗浄水は、便座４の傾斜面４Ｄに当たり便鉢５Ａに近づくにつれて拡がって便鉢面５Ｂに向けて流れる。このため、この水洗式便器１は、予め洗浄水の流れる幅を便座４の傾斜面４Ｄに当てて拡げることによって、洗浄水を便鉢５Ａの露出した部分である便鉢面５Ｂに満遍なく流すことができる。
【００２４】
＜実施例２＞
実施例２の水洗式便器１１は、図４に示すように、第１吐水口６が複数設けられている点が実施例１と相違する。他の構成は実施例１と同一であり、同一の構成は同一の符号を付し、詳細な説明を省略する。
【００２５】
便座１４の開口７近傍の傾斜面４Ｄには、複数である２つの第１吐水口６が設けられている。具体的には、一方の第１吐水口６が便座１４の開口７の左側に位置する傾斜面４Ｄの前後中央より後側に設けられ、他方の第１吐水口６が便座１４の開口７の右側に位置する傾斜面４Ｄの前後中央より前側に設けられている。これら第１吐水口６から洗浄水が吐水される方向は、図５（Ａ）〜（Ｃ）に示すように、便鉢５Ａの周方向で斜め下方外側を向いている。これら第１吐水口６から洗浄水が吐水される方向が水平方向に対してなす角度はθ２（以降、吐水角度θ２という）である。
【００２６】
これら第１吐水口６から吐水された洗浄水は、図５（Ａ）に示すように、傾斜面４Ｄに当たると便鉢５Ａに近づくにつれて傾斜面４Ｄを覆うように拡がり、第１吐水口６から下方に遠ざかるに従いさらに傾斜面４Ｄを覆うように拡がる。また、傾斜面４Ｄは当たった洗浄水を下方に誘導する誘導部としても機能する。そして、こうして拡がった洗浄水が傾斜面４Ｄから傾斜面４Ｄに連続した便鉢面５Ｂ（すなわち、便鉢５Ａの露出した部分）に到達する。そして、洗浄水は便鉢面５Ｂを便鉢５Ａの周方向に旋回して流れる（図６参照。）。
【００２７】
具体的には、図６に示すように、一方の第１吐水口６から吐水された洗浄水は、便鉢面５Ｂの前側の便鉢面５Ｂを便鉢５Ａの周方向に旋回して流れる。また、一方の第１吐水口６から吐水された洗浄水の一部は、便鉢面５Ｂの前側から排出孔５Ｆに向けて流れて、便器排水路に流入する。また、他方の第１吐水口６から吐水された洗浄水は、便鉢面５Ｂの後側の便鉢面５Ｂを便鉢５Ａの周方向に旋回して流れる。
【００２８】
そして、一方の第１吐水口６から吐水された洗浄水は便鉢面５Ｂを便鉢５Ａの周方向に便鉢面５Ｂを旋回して流れ、下流側に隣り合う他方の第１吐水口６が配置された位置の下方の便鉢面５Ｂを便鉢５Ａの周方向に旋回して流れる。また、他方の第１吐水口６から吐水された洗浄水は便鉢面５Ｂを便鉢５Ａの周方向に旋回して流れ、下流側に隣り合う一方の第１吐水口６が配置された位置の下方の便鉢面５Ｂを便鉢５Ａの周方向に旋回して流れる。こうして、便鉢５Ａは周方向のほぼ全周、すなわち、便鉢５Ａの露出した部分のほぼ全ての領域に洗浄水が流れる。つまり、便鉢５Ａには第１吐水口６から吐水された洗浄水が流れない非洗浄領域が形成されない。また、実施例２の水洗式便器１１は実施例１の水洗式便器１に比べて、１つの第１吐水口６から吐水された洗浄水が便鉢面５Ｂを便鉢５Ａの周方向に旋回して流れる距離が小さい。これにより、実施例２の水洗式便器１１は吐水角度θ２を吐水角度θ１に比べて大きくすることができる（図２（Ａ）、図３、図５（Ａ）、図６参照。）。これにより、実施例２の水洗式便器１１は、洗浄水が便鉢面５Ｂを流れる洗浄水の下方向への勢いをより大きくすることができるため、便鉢５Ａをより良好に洗浄することができる。
【００２９】
ここで、一方の第１吐水口６が吐水する洗浄水の流量が他方の第１吐水口６が吐水する洗浄水の流量と異なる場合について説明する。流量とは、任意の場所において単位時間当たりに通過する洗浄水の量である。具体的には、第１吐水口６から吐水される単位時間当たりの洗浄水の量が増加することを第１吐水口６からの洗浄水の流量が大きくなるといい、第１吐水口６から吐水される単位時間当たりの洗浄水の量が減少することを第１吐水口６からの洗浄水の流量が小さくなるという。
例えば、一方の第１吐水口６からの洗浄水の流量が大きくなると、図７に示すように、便鉢面５Ｂの前側を便鉢５Ａの周方向に旋回して流れる洗浄水の単位時間当たりの量が増加する。すると、便鉢面５Ｂの前側から排出孔５Ｆに向けて流れて、便器排水路に流入する洗浄水の量が増加するため、便鉢５Ａから便器排水路に汚物等をより良好に押し込むことができる。
また、他方の第１吐水口６からの洗浄水の流量が大きくなると、図８に示すように、便鉢面５Ｂの後側を便鉢５Ａの周方向に旋回して流れる洗浄水の単位時間当たりの量が増加する。便鉢面５Ｂの後側は便鉢面５Ｂの前側に比べて汚れが付着する機会が多い。つまり、便鉢面５Ｂの後側を流れる洗浄水の流量が増加することによって、汚れが付着する機会が多い便鉢面５Ｂの後側をより良好に洗浄することができる。
【００３０】
また、これら第１吐水口６のそれぞれにおいて、吐水する洗浄水の水平方向に対する下向きの角度を個別に変更する（つまり、一方の第１吐水口６が吐水する洗浄水の水平方向に対する下向きの角度が他方の第１吐水口６が吐水する洗浄水の水平方向に対する下向きの角度と異なる）ことによって、便鉢面５Ｂの前側から排出孔５Ｆに向けて流れて、便器排水路に流入する洗浄水の流量や、便鉢面５Ｂの後側を便鉢５Ａの周方向に旋回して流れる洗浄水の流量を調整することもできる。
【００３１】
このように、この水洗式便器１１は、便座４の２つの第１吐水口６から吐水される洗浄水の向きが、便鉢５Ａの周方向で斜め下方外側に向いている。このため、この水洗式便器１１は、便鉢面５Ｂを流れる洗浄水が下方向への勢いを有している。つまり、この水洗式便器１１は下方向への勢いを有した洗浄水によって便鉢面５Ｂをより良好に洗浄することができる。
また、この水洗式便器１１は、２つ第１吐水口６から吐水される洗浄水の向きが、便鉢５Ａの周方向であるため、洗浄水が便鉢面５Ｂを旋回しながら流れる。これにより、この水洗式便器１１は洗浄水が便鉢面５Ｂを満遍なく流れることができる。
【００３２】
したがって、本発明の水洗式便器１１も良好に便鉢５Ａを洗浄することができる。
【００３３】
また、この水洗式便器１１の便座１４は、２つの第１吐水口６を有し、任意の第１吐水口６から吐水された洗浄水が下流側に隣り合う第１吐水口６が配置された位置の下方の便鉢面５Ｂを流れる。これにより、この水洗式便器１１は、第１吐水口６が１つの場合に比べて、第１吐水口６から吐水された洗浄水が便鉢５Ａを旋回して流れる距離を短くすることができる。つまり、この水洗式便器１１はそれぞれの第１吐水口６から洗浄水を吐水する方向を便鉢５Ａの周方向でより斜め下方外側に向けることができるため、便鉢面５Ｂを流れる洗浄水の下方向への勢いをより大きくすることができるため、便鉢５Ａをより良好に洗浄することができる。
【００３４】
また、この水洗式便器１１の２つの第１吐水口６は、一方の第１吐水口６が吐水する洗浄水の流量が他方の第１吐水口６が吐水する洗浄水の流量と異なる。このため、便鉢面５Ｂの場所に応じて最適な流量の洗浄水を流すことができる。
【００３５】
また、この水洗式便器１１の２つの第１吐水口６は、一方の第１吐水口６が吐水する洗浄水の水平方向に対する下向きの角度が他方の第１吐水口６が吐水する洗浄水の水平方向に対する下向きの角度と異なる。このため、便鉢面５Ｂの洗浄場所の調整や、便鉢面５Ｂの場所に応じた最適な流量の洗浄水を流すことができる。
【００３６】
＜実施例３＞
実施例３の水洗式便器２１は、図９に示すように、第１吐水口６の数、及び第２吐水口８が設けられている点が実施例１及び２と相違する。他の構成は実施例１及び２と同一であり、同一の構成は同一の符号を付し、詳細な説明を省略する。
【００３７】
便座２４の開口７の近傍の傾斜面４Ｄには、複数である６つの第１吐水口６が設けられている。これら第１吐水口６は、便座２４の開口７の左側に位置する傾斜面４Ｄの前後中央より後側と前側とに１つずつ、便座２４の開口７の左側に位置する傾斜面４Ｄの前後中央より前側と後側とに１つずつ、便座２４の開口７の前側と後側とに位置する傾斜面４Ｄに１つずつ設けられている。これら第１吐水口６から洗浄水が吐水される方向は、図１０（Ａ）〜（Ｃ）に示すように、便鉢５Ａの周方向で斜め下方外側を向いている。これら第１吐水口６から洗浄水が吐水される方向が水平方向に対してなす角度はθ３（以降、吐水角度θ３という）である。吐水角度θ３は吐水角度θ２及び吐水角度θ１より大きい。
【００３８】
これら第１吐水口６から吐水された洗浄水は、図１０（Ａ）に示すように、傾斜面４Ｄに当たると便鉢５Ａに近づくにつれて傾斜面４Ｄを覆うように拡がり、第１吐水口６から下方に遠ざかるに従いさらに傾斜面４Ｄを覆うように拡がる。また、傾斜面４Ｄは当たった洗浄水を下方に誘導する誘導部としても機能する。そして、こうして拡がった洗浄水が傾斜面４Ｄから傾斜面４Ｄに連続した便鉢面５Ｂ（すなわち、便鉢５Ａの露出した部分）に到達する。そして、洗浄水は便鉢面５Ｂを便鉢５Ａの周方向に旋回して流れる（図１１参照。）。
【００３９】
具体的には、図１１に示すように、任意の第１吐水口６から吐水された洗浄水は、便鉢面５Ｂを便鉢５Ａの周方向に旋回して流れる。
【００４０】
そして、任意の第１吐水口６から吐水された洗浄水は便鉢面５Ｂを便鉢５Ａの周方向に便鉢面５Ｂを旋回して流れ、下流側に隣り合う第１吐水口６が配置された位置の下方の便鉢面５Ｂを便鉢５Ａの周方向に旋回して流れる。こうして、便鉢５Ａは周方向のほぼ全周、すなわち、便鉢５Ａの露出した部分のほぼ全ての領域に洗浄水が流れる。つまり、便鉢５Ａには第１吐水口６から吐水された洗浄水が流れない非洗浄領域が形成されない。
【００４１】
また、実施例３の水洗式便器２１は実施例１、２の水洗式便器１，１１に比べて、１つの第１吐水口６から吐水された洗浄水が便鉢面５Ｂを便鉢５Ａの周方向に旋回して流れる距離が小さく、吐水角度θ３が吐水角度θ１，θ２に比べて大きい（図２（Ａ）、図３、図５（Ａ）、図６、図１０（Ａ）、図１１参照。）。これにより、実施例３の水洗式便器２１は実施例１、２の水洗式便器１，１１に比べて、洗浄水が便鉢面５Ｂを流れる下方向への勢いをより大きくすることができるため、便鉢５Ａをより良好に洗浄することができる。
【００４２】
また、便座２４の開口７の近傍の傾斜面４Ｄには、複数である６つの第２吐水口８が設けられている。これら第２吐水口８は第１吐水口６と同様の形態をなしている。これら第２吐水口８は複数の第１吐水口６の洗浄水を吐水する側に隣り合い設けられている。これら第２吐水口８から洗浄水が吐水される方向は、便鉢５Ａの周方向でほぼ水平方向である（図１０（Ａ）参照。）。
【００４３】
これら第２吐水口８から吐水された洗浄水は、図１０（Ａ）、（Ｃ）に示すように、隣り合う第１吐水口６の間に形成され、第１吐水口６から吐水された洗浄水が流れない非洗浄領域Ｒに当たると非洗浄領域Ｒを覆うように拡がり、第２吐水口８から遠ざかるに従いさらに非洗浄領域Ｒを覆うように拡がる。こうして、第２吐水口８は非洗浄領域Ｒに洗浄水を吐水して、第１吐水口６から吐水された洗浄水が流れない非洗浄領域Ｒを洗浄する。そして、非洗浄領域Ｒを流れた洗浄水は傾斜面４Ｄから傾斜面４Ｄに連続した便鉢面５Ｂ（すなわち、便鉢５Ａの露出した部分）に到達して、便鉢面５Ｂを流下する。
【００４４】
このように、この水洗式便器２１は、便座２４の６つの第１吐水口６から吐水される洗浄水の向きが、便鉢５Ａの周方向で斜め下方外側に向いている。このため、この水洗式便器２１は、便鉢面５Ｂを流れる洗浄水が下方向への勢いを有している。つまり、この水洗式便器２１は下方向への勢いを有した洗浄水によって便鉢面５Ｂをより良好に洗浄することができる。
また、この水洗式便器２１は、６つ第１吐水口６から吐水される洗浄水の向きが、便鉢５Ａの周方向であるため、洗浄水が便鉢面５Ｂを旋回しながら流れる。これにより、この水洗式便器２１は洗浄水が便鉢面５Ｂを満遍なく流れることができる。
【００４５】
したがって、本発明の水洗式便器２１も良好に便鉢５Ａを洗浄することができる。
【００４６】
また、この水洗式便器２１の便座２４は、第１吐水口６から吐水された洗浄水が流れない非洗浄領域Ｒに洗浄水を吐水して非洗浄領域Ｒを洗浄する第２吐水口８を有している。このため、この水洗式便器２１は第２吐水口８から吐水される洗浄水によって便座２４を満遍なく洗浄することができる。
【００４７】
＜他の実施例＞
本発明は上記記述及び図面によって説明した実施例に限定されるものではなく、例えば次のような実施例も本発明の技術的範囲に含まれる。
【００４８】
（１）実施例１〜３では、便座４，１４，２４の裏面に傾斜面４Ｄを有しており、下端部４Ｅが便器本体５の上面５Ｄに当接しているが、図１２〜図１５に示す便座３４，４４，５４，６４等の形態であっても良い。
具体的には、便座３４の裏面の外周縁部には開口７側に向けて窪んだ凹部１４Ａが形成されている。凹部１４Ａは便器本体５の上面５Ｄに当接する面１４Ｂと、便鉢５Ａの便鉢面５Ｂに隙間を設けて対向した立面１４Ｃとを有している。また、便座３４の裏面には開口７の周縁と立面１４Ｃの下端とを繋ぎ、開口７の周縁から立面１４Ｃの下端に向けて下り傾斜した傾斜面１４Ｄが形成されている。傾斜面１４Ｄは上方に窪んで形成されている。
傾斜面１４Ｄと立面１４Ｃとが連続する下端部１４Ｅは、便座３４を便器本体５に載置した状態において、便器本体５の上面５Ｄより下側に位置している。また、下端部１４Ｅは便器本体５の上面５Ｄより内側に位置している。これにより、傾斜面１４Ｄを流下する洗浄水は便器本体５の外側に食み出すことなく便鉢面５Ｂに流れることができる。また、傾斜面１４Ｄの下端部１４Ｅは、便鉢面５Ｂの近傍に位置している。これにより、傾斜面１４Ｄを流下する洗浄水は、傾斜面１４Ｄから便器本体５の便鉢面５Ｂに良好に流れることができる。ここで、内側とは、上方からの平面視において、便鉢５Ａの中央に近い側である。
また、便座４４の下端部２４Ｅのように、上面５Ｄよりも内側に位置していてもよい。これにより、便座４４は傾斜面２４Ｄを流下した洗浄水が便器本体５の外側に食み出すことを抑えることができる。
また、便座５４，６４の傾斜面３４Ｄ，４４Ｄのような形態であってもよい。具体的には、傾斜面３４Ｄのように開口７の周縁から便座４の外周に向けて拡がりつつ上方や下方に湾曲せず下り傾斜していてもよく、傾斜面４４Ｄのように開口７の周縁から便座４の外周に向けて下方に膨らみ下り傾斜していてもよい。
【００４９】
（２）実施例３では、第２吐水口８の外形の形態が第１吐水口６と同様の外形の形態である例が開示されているが、これに限らず、例えば、第２吐水口１８外形の形態が図１６に示すように第１吐水口６と異なる外形の形態でもよい。具体的には、第２吐水口１８は上下方向に厚みを有し、且つ便座７４の開口７の周縁に沿う方向に帯状をなして伸びており、隣り合う第１吐水口６の間に設けられている。また、第２吐水口１８の便座７４の開口７の周縁から離れた側には、上下方向に厚みを有し、且つ便座７４の開口７の周縁に沿う方向に伸びたスリットが形成されている（図示せず。）。第２吐水口１８は給水バルブ装置（図示せず）と連結されている。第２吐水口１８は給水バルブ装置から洗浄水が供給されると、スリットから便座７４の内側から外側へ向かう方向であって、非洗浄領域Ｒに向けて洗浄水が吐水される。スリットから吐水される洗浄水は、非洗浄領域Ｒを覆うように薄膜状をなして非洗浄領域Ｒを流下することができる。また、実施例１、２のように第１吐水口６の数がより少ない場合、第２吐水口１８を便座の開口の周縁に沿う方向により長く形成して、開口の周縁に設けてもよい。
【００５０】
（３）実施例１〜３のそれぞれにおいて、第１吐水口６の数が１つ、２つ、及び６つである場合を例示しているが、第１吐水口６の数はこれに限らない。また、実施例３において、第２吐水口８の数が６つである場合を例示しているが、第２吐水口８の数はこれに限らない。
（４）実施例３では、第２吐水口８と第１吐水口６とが個別に設けられていることが開示されているが、これに限らず、例えば、第２吐水口と第１吐水口とが一体的に形成されていてもよい。
（５）実施例１〜３では、第１吐水口６から洗浄水が吐水される方向は便鉢５Ａの周方向であることが開示されているが、これに限らず、例えば、便座に便座から真下に吐水する吐水口を併設してもよい。また、便鉢の上部に便鉢の周方向に洗浄水を吐水するリム吐水口を併設したり、便鉢の下部に便器排水路に向けて洗浄水を吐水するジェット吐水口を併設したりしてもよい。
（６）実施例１〜３では、第１吐水口６から洗浄水が吐水される方向は下方外側を向いているが、これに限らず、例えば、第１吐水口から洗浄水を水平方向に吐水し、洗浄水を便座の裏面に当てて下方に向けて流してもよい。
（７）実施例３では、第２吐水口８から洗浄水が吐水される方向は、便鉢５Ａの周方向でほぼ水平方向であるが、例えば、第１吐水口に比べて、開口の周縁に沿う方向に向き、且つ水平方向で下方外側を向いていてもよい。
（８）実施例１〜３では、第１吐水口６や第２吐水口８が便座４，１４，２４の傾斜面４Ｄに設けられているが、例えば、便座の開口の周縁に沿うように便座と別体に形成され、第１吐水口や第２吐水口が設けられた洗浄装置を便座と便鉢との間に設けてもよい。また、この洗浄装置を温水洗浄便座の洗浄水を吐水する洗浄ノズル等が設けられた本体部等に設けてもよい。
【符号の説明】
【００５１】
４，１４，２４，３４，４４，５４，６４，７４…便座（洗浄装置）
４Ｄ，１４Ｄ，２４Ｄ，３４Ｄ，４４Ｄ…傾斜面（裏面）
５Ａ…便鉢
５Ｂ…便鉢面
６…第１吐水口
８，１８…第２吐水口
Ｒ…非洗浄領域
【図１】
2018135712.tif 000003
【図２】
2018135712.tif 000004
【図３】
2018135712.tif 000005
【図４】
2018135712.tif 000006
【図５】
2018135712.tif 000007
【図６】
2018135712.tif 000008
【図７】
2018135712.tif 000009
【図８】
2018135712.tif 000010
【図９】
2018135712.tif 000011
【図１０】
2018135712.tif 000012
【図１１】
2018135712.tif 000013
【図１２】
2018135712.tif 000014
【図１３】
2018135712.tif 000015
【図１４】
2018135712.tif 000016
【図１５】
2018135712.tif 000017
【図１６】
2018135712.tif 000018